(57)【特許請求の範囲】
【請求項１】
陰極室の導電性プレートと陰極との間にコイルクッション材が介在し、かつ、陰極がイオン交換膜と接触するイオン交換膜法電解槽において、該導電性プレートが無孔板からなり、かつ、コイルクッション材のコイルの伸縮方向がイオン交換膜法電解槽の縦方向と一致するように設置されていることを特徴とするイオン交換膜法電解槽。
【請求項２】
該コイルクッション材が、金属枠に金属製コイル体を巻き付けた構成を有し、該コイルクッション材の弾性反発力が、平均の面圧として７〜１７ｋＰａに調整されている請求項１に記載のイオン交換膜法電解槽。
【請求項３】
該陰極は、その刻み巾が０．１ｍｍ以上１．０ｍｍ以下、短径が０．５ｍｍ以上５．０ｍｍ以下、長径が１．０ｍｍ以上１０ｍｍ以下、板厚が０．１ｍｍ以上１．０ｍｍ以下であり、開口率が４８〜６０％のエキスパンドメタルに電極触媒が担持されているものである請求項１又は請求項２に記載のイオン交換膜法電解槽。
【請求項４】
金属枠に金属製コイル体を巻き付ける巻き数が３〜９回／ｃｍである請求項２に記載のイオン交換膜法電解槽。
【発明の詳細な説明】
【技術分野】
【０００１】
本発明は、クロルアルカリ電解を代表とする電解工業に用いられ、陽極とイオン交換膜と陰極が互いに密接したイオン交換膜法電解槽、所謂ゼロギャップ型の新規なイオン交換膜法電解槽に関する。
本発明のイオン交換膜法電解槽は、陰極室のリブと陰極との間に介在するクッション材として従来使用されているばね状保持部材の代わりに、コイルクッション材を使用することにより、陰極のメッシュとイオン交換膜の密着性が改善されて、電圧低減効果を発揮するという特長を有する。
【背景技術】
【０００２】
クロルアルカリ電解を代表とするイオン交換膜法電解工業は、素材産業として重要な役割を果たしているが、その電解工業においてはイオン交換膜法電解槽（以下、電解槽と略記する場合がある）が技術の中心をなす。
例えば、本出願人が開発した電解槽（例えば、特許文献１参照）は、陽極側の隔壁と陰極側の隔壁に互いに嵌合する凹凸を形成し、両隔壁を重ね併せて一体化した隔壁板の凸部に電極板を結合した電解槽であって、凹部によって形成される溝は電解槽の上下方向の一直線上には形成せず、凹部による溝が隣接する凹部による溝と液絡部で結合しているため、電極室内から電気分解で発生した気泡の作用で上昇する電解液は、液絡部で混合しながら電極室内を上昇し、電解液の濃度分布が均一化され、電解運転の安定的操業が可能となる。
【０００３】
また、この電解槽の改良型として開発された別の電解槽（例えば、特許文献２参照）は、櫛状バネ材によって陰極とイオン交換膜を接触させて、イオン交換膜の損傷を防ぐ効果を謳っている。
このバネ性部材として、なるべく電極とイオン交換膜との間の応力を小さくして、イオン交換膜の破損をできる限りなくすように、平板ばね状体保持部材を使用することが提案されている（例えば、特許文献３参照）。
【０００４】
しかしながら、この平板ばね状体保持部材では、圧力により使用中に歪みが生じて陰極とイオン交換膜が離れ、電解電圧が上昇し、電解槽を解体して、再度組み立てる際に、平板ばね状体保持部材の高さを調整する必要が生じる場合がある。
従って、陰極とイオン交換膜との間に、別の柔軟性を有するクッション材を介在させて、イオン交換膜の破損を防ぐと共に、圧力の負荷によるクッション材の変形を防ぐ新規なイオン交換膜法電解槽が望まれている。
【０００５】
また、導電性プレートと電極との間にクッションマットが設置されたゼロギャップ型イオン交換膜法電解槽が提案されている（例えば、特許文献４〜６参照）。この電解槽で用いられる導電性プレートは、剛性の網目スクリーン、即ち有孔板である。
このように、従来技術では、導電性プレートは隔壁から一定距離離れて設置され、前記導電性プレートと電極との間にクッションマットが設置されたゼロギャップ型イオン交換膜法電解槽において、導電性プレートは有孔板として、電極で発生したガスを隔壁側に抜き出すことが当業者らの常識であった。
【先行技術文献】
【特許文献】
【０００６】
【特許文献１】特開平５−００９７７４号公報
【特許文献２】特開平５−３０６４８４号公報
【特許文献３】特開２００７−３２１２２９公報
【特許文献４】特公昭６３−５３２７２号公報
【特許文献５】特許第４４５３９７３号公報
【特許文献６】特許２０００−１７８７８１公報
【発明の概要】
【発明が解決しようとする課題】
【０００７】
本発明者らは、有孔板である導電性プレートと電極との間にクッションマットが設置された従来のゼロギャップ型イオン交換膜法電解槽とは対照的に、導電性プレートとして非孔板を使用することによって、電圧の経時上昇や電流効率の経時低下を抑制できるという、従来の常識では予見不可能な、驚くべき効果を見出し、本発明を完成するに至った。
即ち、導電性プレートを無孔板とすることにより、電極で発生したガスは電極と導電性プレートの間を上昇し、この際に、激しい上昇流が生じ、同時に、導電性プレートと隔壁との間に激しい下降流が生じる。その結果、イオン交換膜面への電解液供給が促進され、電圧の経時上昇や電流効率の経時低下が抑制されるものと考えられる。
【０００８】
かくして、本発明の目的は、電気エネルギーのロスが可及的に小さく、イオン交換膜の破損を長期的に防止可能であり、かつ、電圧の経時上昇や電流効率の経時変化が抑制可能な新しい構造のイオン交換膜法電解槽を提供することにある。
【課題を解決するための手段】
【０００９】
本発明は、陰極室の導電性プレートと陰極との間にコイルクッション材が介在し、かつ、陰極がイオン交換膜と接触するイオン交換膜法電解槽において、該導電性プレートが無孔板からなり、かつ、コイルクッション材のコイルの伸縮方向がイオン交換膜法電解槽の縦方向と一致するように設置されていることを特徴とするイオン交換膜法電解槽を提供する。
【発明の効果】
【００１０】
本発明のイオン交換膜法電解槽は、図1に示されるように、導電性プレート（２）と陰極（３）との間にコイルクッション材（４）が介在することにより、消費する電気エネルギーが削減できると同時に、コイルクッション材（４）から陰極（３）を通してイオン交換膜（５）に所定の圧力をかけるために、コイルクッション材（４）の弾性反発力を所望の面圧に容易に調整できる。そのため、陰極（３）とイオン交換膜（５）との接触圧力が均一となり、過剰な接触圧力によるイオン交換膜（５）の破損を生じない。
【００１１】
また、図１に示すように、導電性プレート（２）を無孔板とすることにより、陰極（３）から発生するガスがコイルクッション材（４）に沿って上昇する激しいガス流が生じ、そのガス流が電解液を伴うために、電解液も激しく上昇し、同時に、無孔板の導電性プレート（２）と隔壁（１）との間に、激しい下降流が生じ、その結果、イオン交換膜への電解液供給が促進され、電解液の濃度低下が起こらず、電解電圧の経時上昇や電流効率の経時低下が起こらなくなる。
【図面の簡単な説明】
【００１２】
【図１】本発明のイオン交換膜法電解槽の改良した構造を示す図である。
【図２】導電性プレートを有孔板としたイオン交換膜法電解槽の構造を示す図である。
【図３】図１の本発明のイオン交換膜法電解槽を上部から見た図である。
【図４】特開２００４−３００５４７の図６のイオン交換膜法電解槽を上部から見た図である。
【図５】コイルクッション材に使用する金属枠の一例を示す図である。
【図６】コイルクッション材に使用する金属製コイル体の一例を示す図である。
【図７】コイルクッション材の一例を示す図である。
【図８】本発明のイオン交換膜法電解槽の組み立て図である。
【発明を実施するための形態】
【００１３】
以下、本発明を実施するための形態を、図面を参照して詳細に説明する。
以下の記述では、食塩電解に用いるイオン交換膜法電解槽を例に説明するが、本発明のイオン交換膜法電解槽は、食塩電解以外、例えば、塩化カリウム水溶液電解やアルカリ水電解などにも好適に利用し得ることは無論である。
図１に本発明のイオン交換膜法電解槽の陰極側及び陽極側の構造を示すが、陰極室と陽極室は隔壁（１）により分けられている。
【００１４】
本発明のイオン交換膜法電解槽においては、陽極室は従来のものと同一の構成でよく、陰極室は、次に記載するように改造されている。
まず、陰極室の導電性プレート（２）と陰極（３）との間にコイルクッション材（４）を設置し、陰極（３）はイオン交換膜（５）に接触させる。陽極側の端には陽極（６）が付いており、図示されていないが、陽極（６）はイオン交換膜（５）を介して陰極（３）と接触している。
【００１５】
本発明のイオン交換膜法電解槽をより詳細に説明する。
図１に示すように、コイルクッション材（４）のコイルの伸縮方向をイオン交換膜法電解槽の縦方向と一致するようように設置し、かつ、無孔板からなる導電性プレート（２）を採用すると、図１の拡大図に示すように、陰極（３）から発生するガスは導電性プレート（２）を通して外部に漏れないため、コイルクッション材（４）に沿って上昇する激しいガス流が生じ、そのガス流が電解液を伴うために、電解液も激しく上昇し、同時に、導電性プレート（２）と隔壁（１）との間に激しい下降流が生じる。
その結果、イオン交換膜への電解液供給が促進され、電解液の濃度低下が起こらず、電解電圧の経時上昇や電流効率の経時低下が起こらなくなる。
【００１６】
一方、多孔板からなる導電性プレート（９）を採用した場合のイオン交換膜法電解槽の構造を図２に示す。
この図の拡大図に示されるように、陰極（３）から発生する水素ガスは、導電性プレート（９）上の孔から水素ガスが導電性プレート（９）の背面に抜けて、コイルクッション材（４）に沿った電解液の上昇流が生じず、図1について説明したような無孔板からなる導電性プレート（２）と隔壁（１）との間の下降流も生じず、その結果、イオン交換膜（５）への電解液供給が不十分となり、電解液の濃度低下が起こり、電解電圧の経時上昇や電流効率の経時低下が起こると推察される。
【００１７】
また、本発明のコイルクッション材（４）のコイルの伸縮方向をイオン交換膜法電解槽の縦方向に設置したイオン交換膜法電解槽を上部から見た構造を図３に示す。
陰極（３）上で生じた水素ガスは上方向にスムーズに流れ、それに伴い、電解液の流れがイオン交換膜への電解液供給を促進し、電解液の濃度低下が起こらず、電解電圧の経時上昇や電流効率の経時低下が起こらなくなる。
【００１８】
一方、コイルクッション材（４）のコイルの伸縮方向をイオン交換膜法電解槽の縦方向ではなく、横方向に一致するように設置したイオン交換膜法電解槽（例えば、特開２００４−３００５４７の図６に示されている）を上部から見た構造を図４に示す。
陰極（３）上で生じた水素ガスは横方向に向かい、水素ガスが滞留し、それに伴い、電解液の流れが乱れて、イオン交換膜（５）への電解液供給が妨げられ、電解液の濃度低下が起こり、電解電圧の経時上昇や電流効率の経時低下が起こる。
【００１９】
陰極室の導電性プレート（２）と陰極（３）との間に設置するコイルクッション材（４）は、図５に示す構造を有する金属枠（７）に、図６に示す金属製コイル体（８）を巻き付けて製作された、図７に示すコイルクッション材（４）を使用すれば簡便で確実に設置できるため好ましい。
【００２０】
金属枠（７）の材質としては、ニッケルやステンレスなどの耐食性が高いものが好ましく使用される。その枠の径は１乃至３ｍｍが好ましく、より好ましくは１乃至２ｍｍである。枠の径が１ｍｍより細いと強度が不足するためハンドリングが困難となる。逆に、３ｍｍより太いと材料費が悪化し、また、イオン交換膜（５）や陰極（３）に枠が過剰に押し当り、イオン交換膜（５）や陰極（３）が破損する場合がある。
【００２１】
金属製コイル体（８）を金属枠（７）に巻き付けたコイルクッション材（４）において、コイル体（８）の巻き付け数は、３〜９回／ｃｍが好ましく、より好ましくは６〜７回／ｃｍである。コイル巻き数が少なすぎると反力が不足したり、圧縮時にコイルが倒れ弾性が不足したりする。逆に、巻き数が多すぎると反力が過剰となったり、ハンドリング性が悪化する場合がある。
金属製コイル体（８）には、ニッケルやステンレスなどの耐食性と電気導電性が高いものが好ましく使用される。また、銅などの導電性に優れたコイル体の表面をニッケル被覆して耐食性を高めたものも好適に用いられる。
【００２２】
金属製コイル体（８）を製作する方法に制限はないが、例えば、ニッケルやステンレスの線材をロール加工して螺旋状に成形することにより製作可能である。用いる線材の径は０．１乃至２．０ｍｍが好ましく、より好ましくは０．１乃至１．０ｍｍである。線材が細すぎると製作したコイル体の強度が不足し、使用時に塑性変形を受けて弾性反発力が不十分となる。逆に、太すぎると成形が困難となったり、成形できても過剰の弾性反発力となり、所望のコイルクッション材（４）が得られ難い。
【００２３】
金属製コイル体（８）のリング径（コイルの見掛け上の直径）は特に限定はないが、通常、３乃至１０ｍｍとすればよい。リング径が３ｍｍより小さいと弾性マットの圧縮可能厚みが不足し、本発明の効果が発揮されない場合がある。逆に、リング径が１０ｍｍより大きいとハンドリング性が悪化する場合があり、また、圧縮時に塑性変形を受けて弾性反発力が不十分となる場合がある。
金属製コイル体（８）のコイル厚みは図１の両矢印ａが示す長さをいうが、その厚みは特に限定はなく、通常、１〜１０ｍｍ、好ましくは１〜４mmとすればよい。コイルが厚すぎると圧縮時の弾性反発力が不足し、本発明の効果が得られない場合がある。逆に、薄すぎると圧縮時の弾性反発力が異常に強くなりイオン交換膜を損傷してしまう可能性がある。
【００２４】
上記のコイルクッション材（４）を導電性プレート（２）と陰極（３）との間に設置する方法に関しては、コイルクッション材（４）を陰極（３）に接して固定できればよく、特に制限はない。例えば、金属枠（７）に金属製コイル体（８）を巻き付けたコイルクッション材（４）の金属枠（７）の少なくとも一部を導電性プレート（２）及び陰極（３）に溶接すればよい。
【００２５】
本発明で使用する陰極（３）は、食塩電解用の陰極として、電解時に水素を発生する水素発生電極が広く知られており、通常、ニッケル基材に水素発生電極触媒を担持した、所謂、活性陰極が適用される。現在、種々の活性陰極が開発・実用化されており、本発明では、これらの活性陰極の何れもが使用可能である（例えば、特開２００５−３３０５７５参照）。
【００２６】
また、陰極（３）の金属基板として、通常のニッケル製エキスパンドメタル型電極、刻み巾：２ｍｍ、短径：６ｍｍ、長径：１５ｍｍ、板厚：２ｍｍ程度の従来のニッケル製エキスパンドメタル基板を使用すると、陰極（３）とイオン交換膜（５）の接触に際し、陰極のメッシュ部分の剛性が高く、部分的にイオン交換膜（５）に負荷する圧力が大きくなる部位があり、イオン交換膜（５）損傷の程度が大きく、損傷の頻度が多くなる。
【００２７】
従って、陰極（３）の金属基板として、刻み巾が０．１ｍｍ以上１ｍｍ以下、短径が０．５ｍｍ以上５．０ｍｍ以下、長径が１．０ｍｍ以上１０ｍｍ以下、板厚が０．１ｍｍ以上１.０ｍｍ以下で、開口率が４８〜６０％のエキスパンドメタル型メッシュを使用して、その上に触媒を担持した陰極（３）を使用し、その陰極（３）とイオン交換膜（５）の接触に際し、陰極（３）のメッシュ部分の剛性を低下させ、イオン交換膜（５）にかかる圧力を小さくして、イオン交換膜の損傷の程度を小さくし、損傷の頻度を小さくすることが好ましい。
【００２８】
このエキスパンデッドメタル電極の一つの空孔の面積は、（短径×長径）÷２で近似され、上記の短径及び長径によれば、０．２５〜２５ｍｍ２と規定される。
しかしながら、電極の一つの空孔の面積が小さすぎると電極から発生する気体の抜けが悪くなるため好ましくない。逆に、大きすぎると電極自体の強度が低下して好ましくなく、電極の一つの空孔の面積は１．０〜１０ｍｍ２の範囲であることが好ましい。
また、電極の開口率は、余り小さいと電極から発生する気体の抜けが悪くなるため好ましくない。逆に、大きすぎると電極自体の強度が低下するため好ましくない。電極の開口率は４８〜６０％が好ましい。
【００２９】
上記の導電性プレート（２）上に設置されたコイルクッション材（４）の上に陰極（３）を設置するが、その設置方法は、陰極（３）がコイルクッション材（４）を介して、リブ（２）に固定されていればよく、特に制限はない。例えば、導電性プレート（２）とコイルクッション材（４）の枠棒を溶接で付着させ、コイルクッション材（４）と陰極（３）を接触のみにて導通させても構わない。
【００３０】
図１における陽極（６）は、イオン交換膜（５）を介して陰極（３）の反対側に位置し、イオン交換膜（５）と接触している。
この接触により、コイルクッション材（４）から陰極（３）を通してイオン交換膜（５）に所定の圧力をかけるためには、上記のコイルクッション材（４）の弾性反発力を平均の面圧として７〜１７ｋＰａに調整することが好ましい。上記のコイルクッション材（４）の弾性反発力はコイル厚みで調整可能である。即ち、使用するコイルクッション材（４）のコイル厚みと弾性反発力の関係を予め測定しておき、本発明のイオン交換膜法電解槽を組み立てた際に、所望の弾性反発力が得られるようにコイル厚みを調整すればよい。コイル厚みの調整方法は特に限定はないが、例えば、ガスケットの厚みで調整すると簡便である。
【００３１】
上記のコイルクッション材（４）の弾性反発力が下限値７ｋＰａ以上の面圧となるように調整すれば、イオン交換膜（５）と陰極（３）および陽極（６）との間隔が大きくなることを防止し、電解槽電圧の低下が可能となる。
すなわち、導電性プレート（２）と陰極（３）との間にコイルクッション材（４）を介することにより、消費する電気エネルギーが削減できると同時に、コイルクッション材（４）から陰極（３）を通してイオン交換膜（５）に所定の圧力をかけるために、コイルクッション材（４）の弾性反発力を平均の面圧として７〜１７ｋＰａに調整すれば、本発明の陰極（３）とイオン交換膜（５）との接触圧力が一層均一となり、過剰な接触圧力によるイオン交換膜（５）の破損が生じない。
【００３２】
また、図１に示すように、無孔板からなる導電性プレート（２）を採用することにより、陰極（３）から発生するガスがコイルクッション材（４）に沿って上昇する激しいガス流が生じ、そのガス流が電解液を伴うために、電解液も激しく上昇し、同時に、無孔の導電性プレート（２）と隔壁（１）との間に、激しい下降流が生じ、その結果、イオン交換膜（５）への電解液供給が促進され、電解液の濃度低下が起こらず、電解電圧の経時上昇や電流効率の経時低下が起こらなくなる。
【００３３】
陽極（６）は特に限定はなく、従来知られているものを適時用いればよい。例えば、チタンからなるエキスパンドメタル基板に、イリジウム酸化物及び／又はルテニウム酸化物などの塩素発生電極触媒を担持してなる塩素発生電極が広く知られている。
イオン交換膜（５）は特に限定はなく、従来知られているものを適時用いればよい。例えば、スルホン酸基やカルボン酸基などの陽イオン交換基を有するフッ素樹脂フィルムからなるイオン交換膜が広く知られている。
【実施例】
【００３４】
本発明を以下の実施例について具体的に説明するが、本発明はこれらの実施例により、なんら制限されるものではない。
【００３５】
実施例１
図１で示される構造を有するイオン交換膜法電解槽を使用して、無孔板からなる導電性プレート（２）と陰極(３)の間にコイルクッション材（４）を設置した。
コイルクッション材（４）は次のように作成した。すなわち、１．２ｍｍ径のニッケル棒を図５に示される構造に組み立てて金属枠（７）を得、金属枠（７）にコイル径８．５ｍｍ、０．１ｍｍ径のニッケル線材をロールプレスして製作した金属製コイルを糸巻状に図６に示されるように巻き付け（巻き付け数：６０回／ｄｍ２）、図７に示されるような金属枠に金属製コイル体を巻き付けたコイルクッション材（４）を形成した。図１に示すように、コイルクッション材（４）は、導電性プレート（２）と陰極（３）の間に設置した。
上記のコイルクッション材のコイル密度は３．０ｇ／ｄｍ２であり、圧縮後のコイル厚みは２．５ｍｍとした。
【００３６】
陰極（３）は次のように作製した。刻み巾：０．２ｍｍ、短径：１．０ｍｍ、長径：２．０ｍｍ、板厚：０．２ｍｍ、開口率が５１％のファインメッシュのニッケル製エキスパンドメタル（短径方向の長さ１４００ｍｍ、長径方向の長さ３９０ｍｍ）を基板として使用し、この基板を１０重量％の塩酸溶液を用いて温度５０℃で１５分間エッチングした後、水洗、乾燥した。
次いで、ジニトロジアンミン白金硝酸溶液（田中貴金属製、白金濃度：４．５重量％、溶媒：８重量％硝酸溶液）と硝酸ニッケル６水和物と水を用いて白金含有量がモル比で０．５、混合液中の白金とニッケルの合計濃度が金属換算で５重量％の塗布液を調製した。
【００３７】
次いで、この塗布液を前記ファインメッシュ基板に刷毛を用い全面に塗布し、熱風式乾燥機内で８０℃、１５分間乾燥後、箱型電気炉を用いて空気流通下のもと５００℃で１５分間熱分解した。この一連の操作を５回繰り返して、白金−ニッケル合金を被覆した電極を本発明のゼロギャップイオン交換膜法電解槽の陰極（３）とした。
導電性プレート（２）は、孔の開いていないニッケル製プレートで構成した。
コイルクッションの厚みを２．５ｍｍに調整し、コイルクッション材（４）の弾性反発力が９．８ｋＰａとなるようにコイルクッションの厚みを設定した。
【００３８】
陽極（６）としてペルメレック電極社製のＤＳＥ（登録商標）を、イオン交換膜として旭硝子社製のフレミオン（登録商標）を使用して、図８に示されているように、無孔板の導電性プレート（２）、陰極（３）、コイルクッション材（４）、イオン交換膜（５）、陽極（６）からゼロギャップイオン交換膜法電解槽を組み立てた。陽極室の圧力に対し、陰極室の圧力を５ｋＰａ高く設定してイオン交換膜を陽極表面に密着させ、電流密度５ｋＡ／ｍ２、陽極室出口塩水濃度：２００〜２１０ｇ／Ｌ、陰極室出口水酸化ナトリウム水溶液濃度：３１〜３３重量％、温度：９０℃にて食塩電解試験を行い、電解電圧を測定した。電解電圧は最初に３．０Ｖとなり、その後２年間電圧は殆ど上昇せず、電流効率も９７．０％以上を保持して推移した。
【００３９】
実施例２
板厚：１．０ｍｍ、長径：８．０ｍｍ、短径：４．０ｍｍ、刻み巾：１．０ｍｍ、開口率が４６％であるニッケル製エキスパンドメタル基板（短径方向の長さ１４００ｍｍ、長径方向の長さ１２００ｍｍ）に電極触媒を担持した陰極（３）に変更した以外は、実施例１と同じイオン交換膜法電解槽を組み立て、同じ電解条件で食塩電解試験を実施したところ、電解電圧は３．０５Ｖ付近で推移し、実施例１と比較して０．０５Ｖ高い電圧で推移した。
【００４０】
比較例１
クッション材として特開２００７−３２１２２９の図４に示される平板ばね状体を使用し、その大きさは、厚さ０．２ｍｍ、幅４ｍｍ、長さ３５ｍｍである平板ばね状体を使用した以外は、実施例１と同じ方法で、食塩電解試験を行い、電解電圧を測定した。電解電圧は３．１Ｖ付近で推移し、実施例１と比較して０．１Ｖ高い電圧で推移した。
【００４１】
比較例２
導電性プレート（２）として、板厚：１．０ｍｍ、長径：８．０ｍｍ、短径：４．０ｍｍ、刻み巾：１．０ｍｍ、開口率が４６％のニッケル製多孔板を使用した以外は、実施例１と同じ方法で実施した。そのイオン交換膜法電解槽の構造を図２に示す。
電解初期は電圧が３．０Ｖと実施例１とほぼ同じとなったが、時間の経過と共に徐々に上昇し始め、1年後には３．１Ｖまで上昇した。
【００４２】
その原因は、図２から明らかなように、陰極（３）から発生する水素ガスが、導電性プレート上の孔から導電性プレート（２）の背面に抜けてしまったため、コイルクッション材（４）に沿った電解液の上昇流が生じず、無孔板からなる導電性プレート（２）と隔壁（１）との間の下降流も生じず、その結果、イオン交換膜への電解液供給が不十分となり、電解液の濃度低下が起こり、電解電圧の経時上昇や電流効率の経時低下が起こったものと推察される。
【００４３】
比較例３
コイルクッション材（４）のコイルの伸縮方向をイオン交換膜法電解槽の横方向と一致するように設置した以外は、実施例１と同じ方法で実施した。そのイオン交換膜法電解槽の上部からの構造を図４に示す。
実施例１と同じ方法で、食塩電解試験を行い、電解電圧を測定した。電解電圧は３．１Ｖ付近で推移し、実施例１と比較して０．１Ｖ高い電圧で推移した。
【産業上の利用可能性】
【００４４】
本発明のイオン交換膜法電解槽は、ゼロギャップ電解槽の有する省エネルギー性能が発揮され、電解工業の電気分解に必要なエネルギーを長期間安定的に低く抑えることができる。また、イオン交換膜の破損を防止できる。
したがって、本発明のイオン交換膜法電解槽は、食塩電解などクロルアルカリ電解に代表される電解工業で利用できる。食塩電解以外にも、例えば、塩化カリウム水溶液電解やアルカリ水電解などにも好適に利用し得る
【符号の説明】
【００４５】
１：隔壁
２：導電性プレート（無孔板）
３：陰極
４：コイルクッション材
５：イオン交換膜
６：陽極
７：金属枠
８：金属製コイル体
９：導電性プレート（多孔板）
【図１】
0005693215.tif 000002
【図２】
0005693215.tif 000003
【図３】
0005693215.tif 000004
【図４】
0005693215.tif 000005
【図５】
0005693215.tif 000006
【図６】
0005693215.tif 000007
【図７】
0005693215.tif 000008
【図８】
0005693215.tif 000009